(57)【要約】【課題】毎回の注出毎にパウチを同じように押圧することができるように吊り下げたパウチの押圧箇所を安定して保持することができ、かつ取扱の容易なパウチ注出用補助治具を提供する【解決手段】補助治具単位体２２を具え、補助治具単位体２２は、パウチを吊り下げ支持可能な本体枠部材２３を有し、本体枠部材２３はパウチを吊り下げるハンガー２７を上端部近傍の前面から前方に突出させて備えかつ下端寄りの位置にハンガー２７から吊り下げたパウチの背面と当接するパウチ受け部３２を前面から前方に張り出させて備えている【選択図】　　図５
2004123193.tif 000002
【特許請求の範囲】
【請求項１】
補助治具単位体を具え、前記補助治具単位体は、パウチを吊り下げ支持可能な本体枠部材を有し、
前記本体枠部材は前記パウチを吊り下げるハンガーを上端部近傍の前面から前方に突出させて備えかつ下端寄りの位置に前記ハンガーから吊り下げたパウチの背面と当接するパウチ受け部を前記前面から前方に張り出させて備えていることを特徴とするパウチ注出用補助治具。
【請求項２】
前記本体枠部材の下端部近傍に前記前面から前方に張り出した張り出し部を備えることを特徴とする請求項１記載のパウチ注出用補助治具。
【請求項３】
前記張り出し部に液体受け皿または液体流れ案内溝が設けられていることを特徴とする請求項２記載のパウチ注出用補助治具。
【請求項４】
前記ハンガーの長さ方向に補強リブが前記ハンガーの外面に形成されていることを特徴とする請求項１記載のパウチ注出用補助治具。
【請求項５】
前記本体枠部材には壁掛け用のフック係合部が設けられており、前記ハンガーは前記フック係合部の両側に対称位置に設けられていることを特徴とする請求項１記載のパウチ注出用補助治具。
【請求項６】
前記本体枠部材は裏面が取り付け壁面に当接可能な当接面を構成する壁面当接部と取り付け壁面とは当接しない壁面非当接部とを有し、前記壁面当接部と壁面非当接部との間に段差を有し、前記ハンガー及び前記パウチ受部は前記壁面非当接部上に設けられていることを特徴とする請求項１記載のパウチ注出用補助治具。
【請求項７】
前記本体枠部材にヒンジを介して連結しているカバー部材を有し前記カバー部材は前記本体枠部材の前面に対向する位置と前記前面からはずれた位置との間に変位可能であることを特徴とする請求項１記載のパウチ注出用補助治具。
【請求項８】
前記カバー部材には前記本体枠部材のハンガーから吊り下げられた前記パウチに当接可能なパウチ押圧部が設けられていることを特徴とする請求項１記載のパウチ注出用補助治具。
【請求項９】
前記パウチ押圧部は前記カバー部材に対して相対変位可能に前記カバー部材に取り付けられた押しボタンであることを特徴とする請求項７記載のパウチ注出用補助治具。
【請求項１０】
前記パウチ注出用補助治具単位体の少なくとも一部分が遮光性能を有する材料で構成されていることを特徴とする請求項１記載のパウチ注出用補助治具。
【請求項１１】
前記パウチ注出用補助治具単位体の少なくとも一部分が銀系抗菌剤を含有する材料で構成されていることを特徴とする請求項１記載のパウチ注出用補助治具。
【請求項１２】
前記パウチ注出用補助治具単位体の少なくとも一部分が再生ポリエステルフレークを材料として製造されていることを特徴とする請求項１または７記載のパウチ注出用補助治具。
【請求項１３】
前記パウチに収容されている液体内容物の粘度は１×１０−６〜１００００×１０−６ｍ２／ｓであることを特徴とする請求項１記載のパウチ　注出用補助治具。
【請求項１４】
前記パウチに収容されている液体内容物はシャンプー、リンス、コンディショナー、消毒液、ボディーソープ、殺菌剤、洗浄剤または台所洗剤であることを特徴とする請求項１記載のパウチ注出用補助治具。
【請求項１５】
前記補助治具単位体の複数が連設されていることを特徴とする請求項１５記載のパウチ注出用補助治具。
【請求項１６】
前記連設されている補助治具単位体に吊り下げられるパウチに収容されている液体内容物はそれぞれの補助治具単位体において異なる種類のものであることを特徴とする請求項１５記載のパウチ注出用補助治具。
【発明の詳細な説明】
【０００１】
【産業上の利用分野】
この発明はパウチ容器に充填された液体、半液体内容物を定量ずつ注出する場合に使用するパウチ注出用補助治具に関するものである。
【０００２】
【従来の技術】
プラスチックフィルムをヒートシールして構成したパウチに液体内容物を充填することは従来から行われている。このパウチは硬質の容器の内容物が消費によって空になったときに内容物の詰め替え用として使用されることもあるが、最近は硬質容器の使用をさけて、パウチ自体を内容物の使用注出のための容器として使用することが考えられている。しかるに、パウチ容器は剛性が小さいので容器として一定形状を保つことが難しい。また、このことによってパウチから一定量だけ内容液を注出する定量性を持たせることが難しい。
【０００３】
そこで最近、パウチを注出口を下にして壁などから吊り下げて使用することによって、パウチの不定形性を補完することが考えられている。この場合、注出の定量性を持たせるためには、パウチの注出口に弁機構を設けたり、或いは、パウチ素材の密接性を利用することが考えられている。
【０００４】
【課題】
しかるに、吊り下げたパウチを手指で押して、内容物を押し出し注出する場合には、パウチ上の同じ位置を毎回正しく同じように押すことが必要であるが、吊り下げたパウチが揺動するために毎回同じ位置を同じ状態で押すことは困難であるために、注出量を毎回一定にすることは難しく、また、パウチの上面に押す箇所を印刷表示した場合でも、押す人によって、押し方が異なり、これによって注出の定量性を保つことができない。
【０００５】
この発明は上記の如き事情に鑑みてなされたものであって、毎回の注出毎にパウチを同じように押圧することができるように吊り下げたパウチの押圧箇所を安定して保持することができ、かつ取扱の容易なパウチ注出用補助治具を提供することを目的とするものである。
【０００６】
【構成】
この目的に対応して、この発明のパウチ注出用補助治具は、補助治具単位体を具え、前記補助治具単位体は、パウチを吊り下げ支持可能な本体枠部材を有し、前記本体枠部材は前記パウチを吊り下げるハンガーを上端部近傍の前面から前方に突出させて備えかつ下端寄りの位置に前記ハンガーから吊り下げたパウチの背面と当接するパウチ受け部を前記前面から前方に張り出させて備えていることを特徴としている。
【０００７】
以下この発明の詳細を一実施例を示す図面について説明する。
まずパウチについて説明する。
図１は、本発明の注出補助具を使用する対象であるスタンディングパウチの例を示す斜視図、図２は図１のパウチを吊下げて使用する状態を示す図である。
【０００８】
このパウチ１には、パウチ本体２の頂部近辺に先端に注出口３を有する分岐部４が設けられており、パウチの底部には内側に折り込んだガセット部（図示せず）がヒートシールされている。パウチ底部のヒートシール部５には、後述するパウチ注出用補助治具２１のハンガー２７に吊り下げするための孔８が設けられている。
【０００９】
このパウチでは、パウチ本体２と分岐部４は、易剥離性シール部１０により仕切られ、分岐部４のヒートシール部１１の先端部近辺には、注出口３を形成するための易開封加工部１２が設けられている。パウチ本体２には、シャンプー、リンス、コンディショナー、消毒液、ボディーソープ、化粧水、殺菌剤、洗浄剤または台所洗剤等の液状の内容物１３が充填されている。
【００１０】
このパウチ１を使用する際には、分岐部４をパウチ本体２の延長線上に折り返し、パウチ本体２に充填された内容物１３を手指で押圧することによって、パウチ本体２と分岐部４を仕切る易剥離性シール部１０を破壊し両者を連通させる。
【００１１】
そして、孔８をハンガー２７に刺し通してパウチ１を逆さに垂直に吊り下げる。次に分岐部４の先端部に形成した易開封加工部１２を手指で開封することによって注出口３を形成する。内容物１３は、注出口３の直上部を手指で押圧し、または後述するパウチ注出用補助治具２１のカバー部材２５で押圧し、注出口３を変形開口させることによって取り出すことができるが、押圧を中止すると注出口３は閉鎖され、注出は終了する。
【００１２】
次に、以上説明したパウチについて使用する定量注出パウチ用補助治具２１について説明する。
図３から図５に示すように、定量注出パウチ用補助治具２１は補助治具単位体２２を１個具え、または複数個を横に連設して備えている。
補助治具単位体２２は本体枠部材２３を有する。
【００１３】
本体枠部材２３は一対の棒状のハンガー２７を前面２８から突出させて備えていて、このハンガー２７をパウチ１の吊り下げ用の孔８に差し通すことによって、パウチ１を吊り下げ可能である。このハンガー２７の外面はハンガー２７の長さ方向に補強リブ５１が形成されている。
【００１４】
本体枠部材２３は下端寄りの位置に吊り下げたパウチ１の背面と当接してパウチを受けるパウチ受け部３２が前方に突出して形成されている。このパウチ受部３２の表面のうちパウチと当接する面及び後述するパウチ押圧部３３の表面のうちパウチと当接する面には滑り止め用の凹凸や条溝を形成してもよい。また、本体枠部材２３の下端部には本体枠部材２３の前面２８の前方に張り出した盤状の張り出し部５３が設けられている。この張り出し部５３は本体枠部材２３にパウチ１を吊り下げた時に、パウチ１の注出口３の直下に位置するように張り出しているので、パウチ１の注出口３から不時にたれた内容液を一時的に受ける液溜めとして、利用することができ、または、内容液が台所洗剤などであるときは張り出し部５３上にスポンジなどをおいて液受けとしてもよい。また、パウチ用補助治具２１を壁に吊り下げるのではなくて、台上に設置して使用する場合は張り出し部５３は設置のための脚部として安定して台上に設置して利用することができる。
【００１５】
本体枠部材２３の上端部近傍にフック孔５４が形成されている。このフック孔５４はパウチ用補助治具２１を壁面に掛けて使用する場合の壁掛け用のフック係合部として機能するものである。本体枠部材２３は裏面が取り付け壁面に当接可能な壁面当接部５５と、取り付け壁面とは当接しない壁面非当接部５６とを有していて、壁面当接部５５と壁面非当接部５６との間には段差ｈがある。本体枠部材２３を壁面に取り付けるのに吸盤等の取付部材を使用する場合には、その取付部材をはみ出させることなしに段差ｈ内におおよそ納めることができる。ハンガー２７、フック孔５４は壁面非当接部５６に設けられている。１対のハンガー２７はフック孔５４を通る直線２９の両側に線対称的に配置されている。
【００１６】
これらのパウチ注出用補助治具２１及び補助治具単位体２２はＰＥＴボトルリサイクル材料を原料として製造されることもできる。
【００１７】
ＰＥＴボトルリサイクル材料にはマテリアルリサイクル材料と新原料リサイクル材料とがあって、前者のマテリアルサイクル材料は回収されたＰＥＴボトルを異物除去、粉砕、洗浄し、薄片状の再生樹脂（再生ＰＥＴフレーク）にしたものであり、このフレークを使ってパウチ注出用補助治具２１及び補助治具単位体２２を射出成形することができる。一方、新原料リサイクル材料は回収されたＰＥＴボトルを化学的に分解して前記の再生ＰＥＴフレークに解重合処理を施し、分子レベルの大きさに化学分解したのに反応精製の各工程を通すことで、ＤＭＴ（テレフタル酸ジメチル）を生成し、これを重合させたもので、同じくパウチ注出用補助治具２１及び補助治具単位体２２を射出成形することができる。
【００１８】
さらにこれらのパウチ注出用補助治具２１及び補助治具単位体２２は少なくとも一部分を遮光性能を有するプラスチック材料で構成すれば、そこに吊り下げるパウチ１内の液体内容物の光化学的劣化を防止するのに有効である。
【００１９】
さらにパウチ注出用補助治具２１及び補助治具単位体２２は少なくとも一部分が抗菌剤を含有するプラスチック材料で構成すればそこに吊り下げるパウチ１内の液体内容物の腐敗を防止するのに有効である。このような抗菌剤としてはゼオライト銀などの銀系抗菌剤を好適に使用することができる。
【００２０】
このように構成された注出パウチ用補助治具２１を使用して吊り下げたパウチから内容物を押し出し注出する場合の操作は次の通りである。
【００２１】
図６及び図７に示すように、注出パウチ用補助治具２１のフック孔５４を利用して洗面所の壁面などに吊り下げて取り付けた状態で、ハンガー２７にパウチ１の吊り下げ用の孔８を刺し通して吊り下げる。この時、吊り下げたパウチ１は背面６で本体枠部材２３のパウチ受け部３２に当接または接近した状態となっている。
【００２２】
次に洗顔などの時にパウチ１から定量の液体内容物を押し出し注出する場合には手指でパウチ１の押部３１を押す。
【００２３】
パウチ１は押部３１が逆止弁機構をもつ定量保持機構を備えていたり、或いはパウチの素材であるフィルムの密着性により、実質的に定量保持機能を有していたり、或いはパウチ上の押部３１の位置を選択することによって、内容物を定量だけ押し出し注出することができる。
【００２４】
図８から図１１はこの発明の他の実施例に係るパウチ注出用補助治具２１ｂが示されている。このパウチ注出用補助治具２１ｂは補助治具単位体２２ｂとして本体枠部材２３ｂの前面を開閉するカバー部材２５ｂを備えている。カバー部材２５ｂの機能として補助治具単位体２２の外観デザインを施し、または衛生性保持（ほこり付着防止）の観点から使用するものであるが、本発明ではそれを内容物注出の操作時に、パウチを押す押ボタンとして利用することとしたものである。つまり、このカバー部材２５ｂはパウチ注出用補助治具２１ｂに吊り下げられたパウチ１から内容物を注出する場合に、手指に替えてパウチ１を押圧する作用をなすものである。すなわちカバー部材２５ｂは本体枠部材２３の前面２８に対向して配置されている。カバー部材２５ｂは上端近傍において、プラスチック素材を薄肉化して易撓性を与えて形成したヒンジ２６を介して本体枠部材２３ｂの上端部近傍に連結してヒンジ２６の回転軸の回りに揺動して本体枠部材２３ｂの前面２８を開閉可能である。また、カバー部材２５ｂは下端位置にパウチに当接してパウチを押圧可能なパウチ押圧部３３を有する。パウチ押圧部３３はカバー部材２５ｂから本体枠部材２３ｂに向かって対向して形成されており、本体枠部材２３ｂのパウチ受け部３２と共働してハンガー２７から吊り下げられたパウチ１の押部３１を挟んで押圧し、パウチ１の内容物を押し出し注出することができる。
【００２５】
このように構成された注出パウチ注出用補助治具２１ｂを使用して吊り下げられたパウチ１から内容物を押し出し注出する場合の操作は次の通りである。
【００２６】
注出パウチ用補助治具２１ｂの本体枠部材２３ｂを洗面所の壁面などに取り付けた状態で、カバー部材２５ｂをヒンジ２６に関して回転させて開き上げ、ハンガー２７にパウチ１の吊り下げ用の孔８を刺し通して吊り下げ、カバー部材２５ｂを下げて吊り下げたパウチ１を覆う。この時、吊り下げられたパウチ１は背面６で本体枠部材２３ｂのパウチ受け部３２に当接し、また前面７でカバー部材２５ｂのパウチ押圧部３３に当接した状態となっている。
【００２７】
次にパウチから定量の液体内容物を押し出し注出する場合には、カバー部材２５ｂを手指で本体枠部材２３ｂに向けて押すと、カバー部材２５ｂのパウチ押圧部３２が本体枠部材２３ｂのパウチ受け部３２と共働してパウチ１を挟んでパウチの押部３１を押す。これによってパウチ１内の液体内容物が押し出されて注出される。
【００２８】
図１２から図１５はこの発明の第３の実施例に係るパウチ注出用補助治具２１ｃが示されている。このパウチ注出用補助治具２１ｃでは、第２の実施例における注出用補助治具２１ｂにおいて、パウチ１の押部３１を押す押圧部としてカバー部材２５ｂに一体的に形成されたパウチ押圧部３３に替えて可動のボタン３７を使用するものである。すなわち、パウチ注出用補助治具２１ｃの補助治具単位体２２ｃはカバー部材２５ｃの上端部が本体枠部材２３ｃにピボットヒンジ３０によって回転可能に取り付けられている。
【００２９】
カバー部材２５ｃはカバー本体３５と押ボタン体３４とが組み合わさって構成されている。カバー本体３５は上端部近傍の内側に左右からピボット軸受３６を突出させて具えており、このピボット軸受３６で本体枠部材２３ｃのピボット軸（図示せず）に枢着して揺動可能に連結し本体枠部材２３ｃの前面を開閉可能である。本体枠部材２３ｃのパウチ受け部３２（図示せず）に対向する位置でカバー本体３５にボタン窓４３が開口しており、このボタン窓４３にボタン３７が出入可能に配置されている。カバー本体３５の上端の内側から止めピン４１が本体枠部材２３ｃに向かって突出している。
【００３０】
押しボタン体３４は押ボタン腕３８とボタン３７及びボタン３７の背面側の当接部材４０とからなっている。押しボタン腕３８は弾性的に可撓に構成された矩形板状でカバー本体３５の内側に配置されている。押しボタン腕３８は上端に止め筒３９が形成され、この止め筒３９がカバー本体３５の止めピン４１に嵌着している。押しボタン腕３８はカバー本体３５に接近、離隔する方向に弾性的に撓むことができる。押しボタン腕３８の下端の近傍にボタン３７が突起状に突出して形成されており、ボタン３７は押しボタン腕３８の弾性的撓みに伴ってカバー本体３５のボタン窓４３から出入りする。ボタン３７の当接部材４０の表面のうちパウチと当接する面には滑り止め用の凹凸や条溝を形成してもよい。
【００３１】
このように構成したパウチ注出用補助治具２１ｃにおける注出動作は次の通りである。
【００３２】
本体枠部材２３ｃのハンガーにパウチ１を吊り下げた状態でカバー部材２５ｃを下げて吊り下げたパウチ１を覆う。この時、吊り下げられたパウチ１は背面６で本体枠部材２３ｃのパウチ受け部３２に当接し、また前面７でカバー部材２５ｃのボタン３７の当接部材４０の背面４４に当接した状態となっている。
【００３３】
次にパウチ１から定量の液体内容物を押し出し注出する場合にはカバー部材２５ｃのボタン３７を手指で本体枠部材２３ｃに向けて押すとボタン３７の背面４４と本体枠部材２３ｃのパウチ受け部３２とが共働してパウチを挟んでパウチの押し部３１を押し、これによってパウチ１内の液体内容物が押し出されて注出される。
【００３４】
なお、図１２、図１３に示すように、パウチ注出用補助治具２１ｃの背面に水平面６６及び垂直面６７からなる凹角部６８を形成しておくと、パウチ注出用補助治具２１ｃを洗面台の流しの縁などに載置するときに、姿勢を安定させることができる。この凹角部を形状を工夫してパウチ受け部３２としての機能を持たせることができれば、パウチ注出用補助治具２１ｃ内の空間の利用を有利にすることができる。このことは他の実施例のパウチ注出用補助治具２１、２１ｂについても同様である。
【００３５】
図１６及び図１７にはこの発明の第４の実施例に係るパウチ注出用補助治具２１ｄが示されている。このパウチ注出用補助治具２１ｄはカバー部材２５ｄが本体枠部材２３ｄの下端で連結している。すなわち、パウチ注出用補助治具２１ｄの上端部の近傍にハンガー２７ｄを有し、中央部よりも下端寄りの位置にパウチ受け部３２ｄを備えている。カバー部材２５ｄは上端にパウチ押圧部３３を内側に張り出して具えている。パウチ押圧部３３の位置はカバー部材２５ｄが本体枠部材２３ｄの前面に対向して位置した時に本体枠部材２３ｄのパウチ受け部３２に対向する位置である。カバー部材２５ｄは下端部で本体枠部材２３の下端部と薄肉部で構成したヒンジ２６で連結している。カバー部材２５ｄはヒンジ２６に関して回転して最上端の位置の本体枠部材２３ｄのパウチ受け部３２を覆う位置と最下端の位置のパウチ受け部３２を開く位置とに回転変位可能であり、パウチ受け部３２を覆う最上端の位置では係止突起５７が本体枠部材２３の係止突起５８と係合して、ロックされる。カバー部材２５ｄのパウチ押圧部３３の下方には開口６１が形成されていて、カバー部材２５ｄがパウチ受け部３２を覆う位置にロックされた状態では、パウチ１の下端の注ぎ口６２が開口６１を通して下方に露出して注出された内容液が良好に滴下するようになっている。
【００３６】
このように構成されたパウチ注出用補助治具２１における注出操作は次の通りである。
【００３７】
パウチ注出用補助治具２１ｄのカバー部材２５ｄを最下端位置に開いた状態（図１６に示す状態）でパウチ１をハンガー２７ｄに掛けて吊り下げ、次にカバー部材２５ｄを最上端位置に回転させて上げ、本体枠部材２３ｄとロックさせる（図１７に示す状態）。
【００３８】
この状態では吊り下げられたパウチ１は本体枠部材２３ｄのパウチ受け部３２とカバー部材２５ｄのパウチ押圧部３３との間に挟まれていることになる。この状態からカバー部材２５ｄの弾性変形を利用して、手指でカバー部材２５ｄを本体枠部材２３ｄに向けて押圧すると、パウチ押圧部３３がパウチ１を押圧して内容液が注ぎ口６２から注出される。
【００３９】
図１８から図２０はこの発明の第５の実施例に係るパウチ注出用補助治具２１ｅが示されている。
【００４０】
この第５の実施例に係るパウチ注出用補助治具２１ｅは複数の補助治具単位体２２ｅを横方向に連設したものである。このパウチ注出用補助治具２１ｅは本体枠部材２３が複数個（この実施例では３個）横に連設されて本体枠部材集合体６３を構成し、その本体枠部材２３の前面を覆うカバー部材２５も３個横に連設されてカバー部材集合体６４を構成する。カバー部材集合体６４は上端部で本体枠部材集合体６３にヒンジ２６で回転可能に連結して本体枠部材集合体６３の前面を覆っている。カバー部材集合体６４におけるそれぞれのカバー部材２５の間は溝６５が設けられてパウチ押圧部３３の部分は独立して弾性変位するように構成されている。
【００４１】
このように構成された本体枠部材集合体６３におけるパウチ１からの注出操作は次の通りである。本体枠部材集合体６３のそれぞれの本体枠部材２３にパウチ１を吊り下げ、本体枠部材集合体６３の前面をすべてのパウチ１と共にカバー部材集合体６４で覆う。
【００４２】
次にパウチ１から内容液を注出する場合には、所望の内容液が充填されているパウチ１に対応する本体枠部材２３のカバー部材２５を手指で押圧し、パウチ押圧部３３でパウチ１の押部３１を押圧して内容液を注出する。
【００４３】
このパウチ注出用補助治具２１ｅは連設されている補助治具単位体２２ｅのそれぞれに吊り下げられているパウチに収容されている液体内容物は例えば、ソープ、シャンプー、リンスのように、異なる種類のものである場合に適用すると便利である。
【００４４】
【発明の効果】
以上の説明から明らかな通り、この発明によれば毎回の注出毎にパウチを同じ様に押圧することができ、かつ取扱の容易なパウチ注出用補助治具及び定量注出パウチを得ることができる。
【００４５】
特に本体部の垂直壁は、浴室・台所等の壁に隙間なく接するため、押圧力に対向して本体部の固定が十分になされる。従って、操作性が向上し、パウチからの定量性が確保される。ヒンジ結合部から離間した位置で、押圧部と載置台とが共同することによってパウチを押圧するため、パウチの押圧点がパウチの底部近傍となり、内容物の残量が低減される。
【００４６】
本発明に用いられるパウチは、内部に注出機構を内包しているため、パウチを付け替える毎に注出機構も新しいものに変わることになるので、内容液が接するパウチ・注出機構は常に衛生性が保たれている。また、繰り返し使用される注出補助治具には注出時の内容液が接することがないため、この点からも衛生性は確保されている。
【００４７】
補助治具の本体部とカバー部とをヒンジ結合としたため、一体で成形でき、低コスト化が図れる。
【００４８】
さらに本体枠部の一部に切り欠きを設け、その切り欠きに吸盤等をセットすることにより、例えば鏡面等に本発明の補助治具を吸着させて使用することが可能である。
【００４９】
【図面の簡単な説明】
【図１】パウチの斜視説明図。
【図２】パウチの使用時の状態の斜視説明図。
【図３】注出パウチ用補助治具２１の正面説明図。
【図４】注出パウチ用補助治具２１の断面説明図。
【図５】注出パウチ用補助治具２１の斜視説明図。
【図６】注出パウチ用補助治具２１の使用時の状態の正面説明図。
【図７】注出パウチ用補助治具２１の使用時の状態の断面説明図。
【図８】他の注出パウチ用補助治具２１の使用時のカバーを開いた状態の正面説明図。
【図９】他の注出パウチ用補助治具２１ｂの使用時のカバーを閉じた状態の正面説明図。
【図１０】他の注出パウチ用補助治具２１ｂの使用時のカバーを開いた状態の断面説明図。
【図１１】他の注出パウチ用補助治具２１ｂの使用時のカバーを閉じた状態の断面説明図。
【図１２】第３の実施例の注出パウチ用補助治具２１ｃの使用時の状態の斜視説明図。
【図１３】第３の実施例の注出パウチ用補助治具２１ｃのカバー部材の断面説明図。
【図１４】第３の実施例の注出パウチ用補助治具２１ｃのカバー部材の分解断面説明図。
【図１５】第４の実施例の注出パウチ用補助治具２１ｄの使用時の状態の断面説明図。
【図１６】第４の実施例の注出パウチ用補助治具２１ｄの使用時のカバーを閉じた状態の側面説明図。
【図１７】第５の実施例の注出パウチ用補助治具２１ｅのカバーを閉じた状態の正面説明図。
【図１８】第５の実施例の注出パウチ用補助治具２１ｅのカバーを閉じた状態の断面説明図。
【図１９】第５の実施例の注出パウチ用補助治具２１ｅのカバーを開いた状態の正面説明図。
【図２０】第５の実施例の注出パウチ用補助治具２１ｅの使用時のカバーを開いた状態の断面説明図。
【符号の説明】
１　　　　　　パウチ
２　　　　　　パウチ本体
３　　　　　　注出口
４　　　　　　分岐部
５　　　　　　ヒートシール部
６　　　　　　背面
７　　　　　　前面
８　　　　　　孔
１０　　　　　易剥離性シール部
１１　　　　　ヒートシール部
１２　　　　　易開封加工部
１３　　　　　内容物
２１　　　　　パウチ注出用補助治具
２２　　　　　補助治具単位体
２３、２３ｃ　本体枠部材
２５　　　　　カバー部材
２６　　　　　ヒンジ
２７　　　　　ハンガー
２８　　　　　前面
２９　　　　　直線
３０　　　　　ピボットヒンジ
３１　　　　　押部
３２　　　　　パウチ受け部
３３　　　　　パウチ押圧部
３４　　　　　押ボタン体
３５　　　　　カバー本体
３６　　　　　ピボット軸受
３７　　　　　ボタン
３８　　　　　押ボタン腕
３９　　　　　止め筒
４０　　　　　当接部材
４１　　　　　止めピン
４３　　　　　ボタン窓
４４　　　　　背面
５１　　　　　補強リブ
５３　　　　　張り出し部
５４　　　　　フック孔
５５　　　　　壁面当接部
５６　　　　　壁面非当接部
ｈ　　　　　　段差
５７　　　　　係止突起
５８　　　　　係止突起
６１　　　　　開口
６２　　　　　注ぎ口
６３　　　　　本体枠部材集合体
６４　　　　　カバー集合体
６５　　　　　溝
６６　　　　　水平面
６７　　　　　垂直面
６８　　　　　凹角部
【図１】
2004123193.tif 000003
【図２】
2004123193.tif 000004
【図３】
2004123193.tif 000005
【図４】
2004123193.tif 000006
【図５】
2004123193.tif 000007
【図６】
2004123193.tif 000008
【図７】
2004123193.tif 000009
【図８】
2004123193.tif 000010
【図９】
2004123193.tif 000011
【図１０】
2004123193.tif 000012
【図１１】
2004123193.tif 000013
【図１２】
2004123193.tif 000014
【図１３】
2004123193.tif 000015
【図１４】
2004123193.tif 000016
【図１５】
2004123193.tif 000017
【図１６】
2004123193.tif 000018
【図１７】
2004123193.tif 000019
【図１８】
2004123193.tif 000020
【図１９】
2004123193.tif 000021
【図２０】
2004123193.tif 000022